【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
移動通信システムの基地局（ｂａｓｅ  ｓｔａｔｉｏｎ）での信号の送受信方法において、
前記基地局に対応するサブドメイン関連情報を含む要請メッセージを他の基地局に送信する段階と、
他の基地局から、前記他の基地局に対応するサブドメイン関連情報を含む応答メッセージを受信する段階と、
端末が前記他の基地局にハンドオーバーを行う場合、前記要請メッセージ及び前記応答メッセージに基づいて、前記基地局に対応するローカルホームネットワークと、前記他の基地局に対応するローカルホームネットワークとを比較し、前記基地局に対応するローカルホームネットワークと、前記他の基地局に対応するローカルホームネットワークとが異なる場合、前記端末に対応するローカルネットワークに関連したパケットデータネットワーク（ｐａｃｋｅｔ  ｄａｔａ  ｎｅｔｗｏｒｋ、ＰＤＮ）連結（ｃｏｎｎｅｃｔｉｏｎ）を解除（ｒｅｌｅａｓｅ）する段階とを含む信号の送受信方法。
【請求項２】
前記要請メッセージは、前記基地局に対応するローカルホームネットワーク関連情報及び前記基地局が接続されたユーザ平面ノード（ｕｓｅｒ  ｐｌａｎｅ  ｎｏｄｅ）の情報のうち、少なくとも一つをさらに含み、
前記応答メッセージは、前記他の基地局に対応するローカルホームネットワークの情報、及び前記他の基地局が接続されたユーザ平面ノード（ｕｓｅｒ  ｐｌａｎｅ  ｎｏｄｅ）の情報のうち、少なくとも一つをさらに含むことを特徴とする、請求項１に記載の信号の送受信方法。
【請求項３】
前記要請メッセージは、前記端末をサービングするＬＧＷの情報をさらに含み、
前記応答メッセージは、前記他の基地局に対応するＬＧＷの情報をさらに含み、
前記端末をサービングするＬＧＷの情報と、前記他の基地局に対応するＬＧＷ情報とが同一であるか否かに基づいて、前記他の基地局が、前記端末をサービングするＬＧＷと接続されているか否かを判断する段階をさらに含むことを特徴とする、請求項１に記載の信号の送受信方法。
【請求項４】
前記端末が前記他の基地局にＳ１ハンドオーバーを行う場合、ハンドオーバー要求メッセージ（ｈａｎｄｏｖｅｒ  ｒｅｑｕｅｓｔ  ｍｅｓｓａｇｅ）が、前記他の基地局に送信され、
前記端末が前記他の基地局にＸ２ハンドオーバーを行う場合、経路転換要求確認メッセージ（ｐａｔｈ  ｓｗｉｔｃｈ  ｒｅｑｕｅｓｔ  ａｃｋｎｏｗｌｅｄｇｅｍｅｎｔ  ｍｅｓｓａｇｅ）が前記他の基地局に送信され、
前記要請メッセージは、Ｘ２設定要求メッセージ（Ｘ２  ｓｅｔｕｐ  ｒｅｑｕｅｓｔ  ｍｅｓｓａｇｅ）であり、前記応答メッセージは、Ｘ２設定応答メッセージ（Ｘ２  ｓｅｔｕｐ  ｒｅｓｐｏｎｓｅ  ｍｅｓｓａｇｅ）であることを特徴とする、請求項１に記載の信号の送受信方法。
【請求項５】
前記要請メッセージ及び前記応答メッセージのうち、少なくとも一つがアップデートされた場合、隣接する基地局に前記アップデートされた情報を送信する段階をさらに含むことを特徴とする、請求項１に記載の信号の送受信方法。
【請求項６】
前記端末に対応するＰＤＮ  ｃｏｎｎｅｃｔｉｏｎを解除する段階は、
ローカルＩＰ接続（ｌｏｃａｌ  ＩＰ  ａｃｃｅｓｓ、ＬＩＰＡ）サービスの非活性化プロセス、または選択されたＩＰトラフィックオフロード（ｓｅｌｅｃｔｅｄ  ＩＰ  ｔｒａｆｆｉｃ  ｏｆｆｌｏａｄ、ＳＩＰＴＯ）サービスの非活性化プロセスをトリガーする段階と、
前記端末をサービングするＬＧＷの関連情報を含むメッセージをソース移動性管理エンティティ（ｓｏｕｒｃｅ  ｍｏｂｉｌｉｔｙ  ｍａｎａｇｅｍｅｎｔ  ｅｎｔｉｔｙ）に送信する段階のうち、少なくとも一つを含み、
前記ソース移動性管理エンティティは、ローカルＩＰ接続（ｌｏｃａｌ  ＩＰ  ａｃｃｅｓｓ、ＬＩＰＡ）サービスの非活性化プロセス、または選択されたＩＰトラフィックオフロード（ｓｅｌｅｃｔｅｄ  ＩＰ  ｔｒａｆｆｉｃ  ｏｆｆｌｏａｄ、ＳＩＰＴＯ）サービスの非活性化プロセスをトリガーすることを特徴とする、請求項１に記載の信号の送受信方法。
【請求項７】
前記端末に対応するローカルネットワークに関連するＰＤＮ  ｃｏｎｎｅｃｔｉｏｎを解除する段階は、
前記の解除するＰＤＮ  ｃｏｎｎｅｃｔｉｏｎに関連する情報を前記端末をサービングするＬＧＷに送信する段階を含み、
前記端末をサービングするＬＧＷは、ローカルＩＰ接続（ｌｏｃａｌ  ＩＰ  ａｃｃｅｓｓ、ＬＩＰＡ）サービスの非活性化プロセスをトリガーすることを特徴とする、請求項１に記載の信号の送受信方法。
【請求項８】
移動通信システムの基地局において、
信号を送受信する送受信部と、
前記送受信部と接続され、
前記基地局に対応するサブドメイン関連情報を含む要求メッセージを他の基地局に送信し、
他の基地局から前記他の基地局に対応するサブドメイン関連情報を含む応答メッセージを受信し、
端末が前記他の基地局にハンドオーバーを行う場合、前記要求メッセージ及び前記応答メッセージに基づいて、前記基地局に対応するローカルホームネットワークと、前記他の基地局に対応するローカルホームネットワークとを比較し、前記基地局に対応するローカルホームネットワークと、前記他の基地局に対応するローカルホームネットワークとが異なる場合、前記端末に対応するローカルネットワークに関連するパケットデータネットワーク（ｐａｃｋｅｔ  ｄａｔａ  ｎｅｔｗｏｒｋ、ＰＤＮ）接続（ｃｏｎｎｅｃｔｉｏｎ）を解除（ｒｅｌｅａｓｅ）する制御部を含む基地局。
【請求項９】
前記要求メッセージは、前記基地局に対応するローカルホームネットワーク関連情報、及び前記基地局が接続されたユーザ平面ノード（ｕｓｅｒ  ｐｌａｎｅ  ｎｏｄｅ）の情報のうち、少なくとも一つをさらに含み、
前記応答メッセージは、前記他の基地局に対応するローカルホームネットワークの情報、及び前記他の基地局が接続されたユーザ平面ノード（ｕｓｅｒ  ｐｌａｎｅ  ｎｏｄｅ）の情報のうち、少なくとも一つをさらに含むことを特徴とする、請求項８に記載の基地局。
【請求項１０】
前記要求メッセージは、前記端末をサービングするＬＧＷの情報をさらに含み、
前記応答メッセージは、前記他の基地局に対応するＬＧＷの情報をさらに含み、
前記制御部は、前記端末をサービングするＬＧＷの情報と、前記他の基地局に対応するＬＧＷ情報とが同一であるか否かに基づいて、前記他の基地局が、前記端末をサービングするＬＧＷと接続されているか否かを判断することを特徴とする、請求項８に記載の基地局。
【請求項１１】
前記端末が前記他の基地局にＳ１ハンドオーバーを行う場合、ハンドオーバー要求メッセージ（ｈａｎｄｏｖｅｒ  ｒｅｑｕｅｓｔ  ｍｅｓｓａｇｅ）が前記他の基地局に送信され、
前記端末が前記他の基地局にＸ２ハンドオーバーを行う場合、経路転換要求確認メッセージ（ｐａｔｈ  ｓｗｉｔｃｈ  ｒｅｑｕｅｓｔ  ａｃｋｎｏｗｌｅｄｇｅｍｅｎｔ  ｍｅｓｓａｇｅ）が、前記他の基地局に送信され、
前記要求メッセージは、Ｘ２設定要求メッセージ（Ｘ２  ｓｅｔｕｐ  ｒｅｑｕｅｓｔ  ｍｅｓｓａｇｅ）であり、前記応答メッセージは、Ｘ２設定応答メッセージ（Ｘ２  ｓｅｔｕｐ  ｒｅｓｐｏｎｓｅ  ｍｅｓｓａｇｅ）であることを特徴とする、請求項８に記載の基地局。
【請求項１２】
前記制御部は、
前記要求メッセージ及び前記応答メッセージのうち、少なくとも一つがアップデートされた場合、隣接する基地局に前記アップデートされた情報を送信することを特徴とする、請求項８に記載の基地局。
【請求項１３】
前記制御部は、
ローカルＩＰ接続（ｌｏｃａｌ  ＩＰ  ａｃｃｅｓｓ、ＬＩＰＡ）サービスの非活性化プロセス、又は選択されたＩＰトラフィックオフロード（ｓｅｌｅｃｔｅｄ  ＩＰ  ｔｒａｆｆｉｃ  ｏｆｆｌｏａｄ、ＳＩＰＴＯ）サービスの非活性化プロセスをトリガーするか、
前記端末をサービングするＬＧＷの関連情報を含むメッセージをソース移動性管理エンティティ（ｓｏｕｒｃｅ  ｍｏｂｉｌｉｔｙ  ｍａｎａｇｅｍｅｎｔ  ｅｎｔｉｔｙ）に送信し、
前記ソース移動性管理エンティティは、ローカルＩＰ接続（ｌｏｃａｌ  ＩＰ  ａｃｃｅｓｓ、ＬＩＰＡ）サービスの非活性化プロセス、又は選択されたＩＰトラフィックオフロード（ｓｅｌｅｃｔｅｄ  ＩＰ  ｔｒａｆｆｉｃ  ｏｆｆｌｏａｄ、ＳＩＰＴＯ）サービスの非活性化プロセスをトリガーすることを特徴とする、請求項８に記載の基地局。
【請求項１４】
前記制御部は、
前記の解除するＰＤＮ  ｃｏｎｎｅｃｔｉｏｎに関連した情報を前記端末をサービングするＬＧＷに送信し、
前記端末をサービングするＬＧＷは、ローカルＩＰ接続（ｌｏｃａｌ  ＩＰ  ａｃｃｅｓｓ、ＬＩＰＡ）サービスの非活性化プロセスをトリガーすることを特徴とする、請求項８に記載の基地局。